(57)【特許請求の範囲】
【請求項１】
把持部を備えた軸部の先端から前方に向いて二股状の腕部を設け、この腕部の先端に上方に向いて掛止部を設けたことを特徴とするボタン掛け外し具。
【請求項２】
掛止部は腕部から略直角以下に曲げられていることを特徴とする請求項１記載のボタン掛け外し具。
【請求項３】
掛止部の高さはボタンの厚みの半分以上か同程度の寸法であることを特徴とする請求項１あるいは請求項２記載のボタン掛け外し具。
【請求項４】
掛止部を鉤型状に曲げたこと特徴とする請求項１あるいは請求項２記載のボタン掛け外し具。
【発明の詳細な説明】
【技術分野】
【０００１】
本発明は、ボタンをボタン穴に掛けたり外したりする補助具に関する。
【背景技術】
【０００２】
近年盛んなネイルアートの装飾用付け爪や長爪の人が固い布地の洋服やジーパンなどのボタンの掛け外しの際には、指先に強い力を必要とするため、この爪を傷つけないようにするのに苦労している。
また、リウマチなどの病気や怪我の後遺症などによる障害で、指先に力が入らないとか痛いとか細かい動きができないなど、手指の不自由な人が、シャツや洋服のボタンをボタン穴に掛けたり、外したりするのに、大変苦労している。
【０００３】
それで、従来技術として、手指の不自由な人のためのボタン掛けの自助具として、ピアノ線を曲げて把持部２３に取り付けたボタンエイド２０なる器具が福祉用具として市販されている。（図１０参照）。この器具は、洋服を着る際には、掛止部２１、開口部２２をボタン穴２５に挿通して、開口部２２よりボタン２７を通して把持部２３を引っ張って糸足部２６に掛止部２１を引っ掛けて、把持部２３を更に引っ張って、ボタン２７をボタン穴２５の方へ引き寄せて、ボタン穴２５に挿通してから、開口部２２よりボタン２７を抜くと、弱い力でも、楽に、ボタン掛けができるという構成となっている。
しかし、洋服を脱ぐ際にボタンを外す作業も、手指の不自由な人にとってはボタン掛けと変わらないくらいに困難な作業であるが、このボタンエイド２０を用いてボタン穴２５からボタンを外すことはできない構成となっており、他の人にボタン外しを手伝ってもらわないと、洋服を自力で脱ぐことが困難という不自由さがあった。
【０００４】
又、駒形の係止部１をボタンのチャンク部５０ｂ（本願でいう糸足部に相当する）に掛けてボタンホール５１内に挿入するという技術があった。（特許文献１参照。）。この技術の「ボタン掛け具」はボタン掛け後においても、より簡単に外すことができる。と記載されている。しかしながら、ボタンを掛ける方法については詳しく記載されているものの、ボタンを外す具体的な方法については一切記載されていないため不明である。
【０００５】
それと、操作性を向上させたボタン掛け具というのがあったが（特許文献２参照。）、この発明もシャンク部１１Bに保持部３を係止してボタン穴の方へ引き寄せるものである。そのため、この器具を使用してボタンを外すことは困難であろう。
【０００６】
それから、ボタンを掛ける際には、鉤状体３でボタンの糸足部を引掛けて引き出してボタン掛けの援助をするというのがあった（特許文献３参照。）。この発明はボタンを外す際には、鉤状体３の他端部に形成した引掛体５を用いてボタン穴の縁を引っ張って、ボタン外し操作を可能としているものであり、２種類の器具を用いるという方法であった。
【０００７】
以上述べたように、これらの先行技術はいずれもボタンの糸足部に掛止部を掛けてボタンを引き寄せてボタン掛けをするものであり、毎日のボタン掛けに使用していると、ボタンを下前立に何重にも縫い付けている糸足部の細い糸が擦り切れるなどの危険性があった。
【０００８】
【特許文献１】特開２００７−２２９１５０
【特許文献２】特開２００３−１８０４０７
【特許文献３】特開２０００−３００４１８
【発明の概要】
【発明が解決しようとする課題】
【０００９】
本発明は、このような従来の構成が有していた問題点を解決しようとするものであり、近年盛んなネイルアートの長い爪や装飾用付け爪の人が固い布地のジーパンや洋服などのボタンの掛け外しの際に、爪を傷つけないようにするために、補助具として使用できるボタン掛け外し具の技術を提供するものである。
又、手指の不自由な人たちが、毎日、シャツや洋服などを着たり脱いだりする際に、ボタンの掛け外しに困っているが、この技術を用いて、一種類の器具で、他の人の助けを借りることなく、ボタンの掛け外しができるようにする自助具を提供しようとするものである。
【課題を解決するための手段】
【００１０】
そこで、第１の課題解決手段は上記の目的を達成するために、把持部を備えた軸部の先端から前方に向いて二股状の腕部を設け、この腕部の先端に上方に向いて掛止部を設けたことを特徴とするボタン掛け外し具としたものである。
【００１１】
そして、第２の課題解決手段は上記の目的を達成するために、掛止部は腕部から略直角以下に曲げられていることを特徴とする請求項１のボタン掛け外し具としたものである。
【００１２】
それから、第３の課題解決手段は上記の目的を達成するために、掛止部の高さはボタンの厚みの半分以上か同程度の寸法であることを特徴とする請求項１のボタン掛け外し具としたものである。
【００１３】
それと、第４の課題解決手段は上記の目的を達成するために、掛止部を鉤型状に曲げたこと特徴とする請求項１あるいは請求項２記載のボタン掛け外し具としたものである。
【発明の効果】
【００１４】
上記解決手段による効果は次のとおりである。
【００１５】
本発明は、ボタンを掛ける際に、従来技術のように、ボタンの糸足部に掛止部を引っ掛けて引っ張る方法ではなく、ボタンの固くて丈夫な側縁に、腕部の先端に立設した掛止部を引っ掛けて引っ張って掛ける方法であるから、糸足部の糸束の細い糸が傷ついたり擦り切れたりすることがなくなる。
又、ボタンを外す際にも、この器具を用いて、ボタンの側縁に前記掛止部を引っ掛けて引っ張って外すことが可能となるものである。
【００１６】
しゃれたデザインの把持部とこのボタン掛け外し部を一体成型して紐などをつけてボタン掛け外し具としたら、携帯電話やキーやバッグなどのストラップとすることもできて持ち歩きしやすくなり、長い爪や装飾爪の人でも、通常の指先の力を持っていれば、固い布地の洋服やジーパンなどのボタンをどこででも簡単に素早く、爪を傷つけることなく、外したり掛けたりできるものである。また、缶ビールや缶ジュースなどのプルトップを開ける際に爪を傷つけることが多かったが、このボタン掛け外し具はこの開封作業にも狭い隙間に先端を突っ込んで、てこの原理でこじ開けることができて大変便利である。
【００１７】
又、手指の不自由な人のために、把持部を把持しやすい滑り止めの凹凸などを施した軽くて大きめの太把持部として、前記と同じ構成のボタン掛け外し部を取り付ければ、弱い力でも操作のしやすい自助具としてのボタンの掛け外し具とすることができるものである。
【００１８】
通常、シャツや洋服などのボタンをボタン穴に掛ける際には、（男女で左右異なるが）下前立に取り付けたボタンを上前立に設けたボタン穴に右から左に向けて挿通して掛ける。ボタンを外す際には、左から右に向けて挿通して外すという指先の細かい作業が必要であるが、手指が健常な人はこの作業を難なくこなしている。
洋服などのボタンは下前立に細糸で何重にもかがった糸足部で取り付けてあり、ボタンの直径より少し長いボタン穴が上前立に設けてある。それに加えて、布地や糸が弾力性や伸縮性を有するため、掛け外しの際には、余裕を持ってボタンがボタン穴を挿通できるように縫製されている。（ジーパンの場合は多くが金属製のボタンを金属製の留め金具で下前立に留め付けてあるが。）
そのため、図１に示す本発明のボタン掛け外し具1a,１ｂは、ボタンが掛けられたままの状態においても、掛止部５，５がボタン穴１３を挿通したり、挿通したままで軸部３が回転できる程度の余裕をも有している。また、掛止部５，５がボタンの厚みより多少は高くても（0.5ミリ程度までなら）ボタン穴を挿通させることが可能である。このことは、本発明のボタン掛け外し具1の試作品により、数種類の衣服のボタンの掛け外しを何度も試してみた結果言えることである。
【００１９】
以下、本発明の実施例について、図１〜図１０に基づいて説明する。
【００２０】
図１（a）は、把持部２aを有する軸部３の先端から前方に向いて二股状の腕部４，４を設け、この腕部４，４の先端に掛止部５，５を立設したボタン掛け外し具１aの斜視図であるが、これは、ネイルアートの長爪や装飾付け爪の人が固い生地の洋服などのボタンを掛けたり外したりする際に爪を傷つけないようにするための補助具となるものである。又このボタン掛け外し具１aに紐などを付けておけば携帯電話やキーなどのストラップとしても利用できるし、缶コーヒーなどのプルトップを開封する器具として利用できるものであり、大変便利である。把持部１aをいろいろな形状にしたり模様を入れることでアクセサリーとしても利用できるであろう。
【００２１】
図１（ｂ）においては、前記の掛け外し部７を用いて、把持部２aを手指の不自由な人でも把持しやすい凹凸のついた軽量の太把持部２ｂに取り換えるだけで、身体障害者用の福祉用具としてのボタン掛け外し具１ｂとすることができるものである。それと、図面では、掛止部３は角型断面となっているが、丸型とした方が回転しやすくて良いであろう。
【００２２】
又、図２において、腕部４の長さは、両方の腕部４，４が糸足部１０を跨いで先端の掛止部５，５がボタン側縁９に引っ掛かることができるように、ボタン８の半径と糸足部１０の半径の和よりも大としてある。
それと、各部分の寸法について述べると、通常市販されているシャツや洋服用としては、ボタンの厚さは１．５ミリメートルから２ミリ程度であるから、掛止部５の高さは１．５〜２ミリ程度としておけば良いであろう。また、ボタン８の直径は、通常９ミリから２０ミリ程度であるから、腕部４，４の長さは２０ミリの半分と糸足部１０の半径1ミリ程度の和より少し長めの１２〜１４ミリ程度とし、腕部４，４の外幅は、ボタン穴１３の長さより小さい８ミリ程度としておけば、ボタン８を引っ掛けたままボタン穴１３を挿通することができて、良いであろう。
それと、ジーパン用としては、通常、ボタンの直径は20ミリ程度、厚さは２ミリ程度の金属製の場合が多いが、糸足部１０に相当する金属製のシャンク部は直径が4ミリ程度と太いため、腕部４，４の内幅は5ミリ程度とし、腕部４，４の外幅は、ボタン穴１３の長さより小さい８ミリ程度、掛止部５の高さは１．５〜２ミリ程度、としておきたい。このジーパン用の寸法であれば、通常のほとんどのシャツ、洋服用としても使用可能な寸法であるから、この寸法のみで製品化しても良いであろう。
【００２３】
そして、この図２は、本発明のボタン掛け外し具１の把持部２を左手で持って、ボタン穴１３に左から右に向いて掛止部５，５を挿通し、糸足部１０を跨いで腕部４，４をボタン８の下側に差し込み、上向きにした掛止部５，５でボタン側縁９を引っ掛けた場面を示す図であり、次に、把持部２を左に引っ張るとボタン８はボタン穴１３を挿通する。そして、掛止部５をはずしたら、ボタン掛けの作業が完了することを示すものである。
【００２４】
図３（a）において、掛止部５，５は、ボタンの側縁９を引っ掛けたままボタン穴１３を挿通する際に、掛止部５がボタン穴１３を通り抜けれるようにするため、その高さはボタン８の厚さと同程度が良いが、ボタンの厚さの2分の1までは低くしても大丈夫である。
また、図３（ｃ）のように、ボタン掛け外し具１の、ボタン８の側縁９より高さを大とした掛止部５の先端を折り返して曲げた鉤型状の掛止部５aとしたら、ボタンを引っ張る際に、はずれにくくて良いであろう。そして、図３（ｄ）のように腕部４の先端に立設する掛止部を腕部から略直角以下に曲げた掛止部５ｂとしたら、ボタンを引っ張る際にはずれにくくて良いであろう。掛止部５を腕部４から直角以上の鈍角に曲げると、ボタン８の側縁９を引っ張る際に掛止部５が滑ってはずれやすくなるので、良くない。
【００２５】
それと、このボタン掛け外し具１a,１ｂの材質は、掛け外し部７は錆びにくく加工のしやすいステンレスが適当であろう。
把持部については、ネイルアート者用としては図１（a）に示すように美しく強度のある可愛らしい把持部2aとしたステンレス一体成型などが適当であろう。それと、把持部2aは長い爪の指先で把持した際に、爪先が布地やボタンに当たらない程度の長さは必要である。
また、図１（ｂ）に示すように、福祉用具としては凹凸などを設けて滑りにくくて軽量で手指の力が弱くても把持しやすい太めの木製や発泡プラスチック製などとした把持部２ｂとするのが適当であろう。
【００２６】
本発明のボタン掛け外し具1aまたは１ｂを用いて、ボタンを掛ける方法を図３〜図５に基づいて説明する。
図３（a）の断面図と図４の平面図は、掛止部５，５を上向きにして、ボタン穴１３に左から右に向けて挿入して、ボタン８と下前立１１の間に、両方の腕部が糸足部１０を跨ぐようにして掛止部５，５を挿入し、ボタン８の右側の側縁９に上向きにした掛止部５，５を引っ掛けた状況の図である。次に、図３（ｂ）の断面図と図５の平面図は、側縁９を掛止部５，５で引っ掛けたまま、ボタンの下面を腕部４，４で上に持ち上げるようにして左に引くと、ボタンはボタン穴を潜りぬけることができた場面である。そこで、本発明のボタン掛け外し具1をはずしたら、ボタン掛けの作業が完了する。
【００２７】
次に、ボタン外しの方法について図６〜図９に基づいて説明する。
図６（a）の断面図と図７の平面図は、ボタン８の掛ったボタン穴１３の右下より、掛止部５，５を上向きにしてボタン穴１３の右側にこじ開けるようにして挿入し、図６（a）の状態で掛止部５，５が下向きになるように回してそのまま先端を下に下げ、図６（ｂ）の断面図と図９の平面図に示すように、下向きにした掛止部５，５でボタン８の左側の側縁９に引っ掛けて、ボタン８の上面を上から押さえつけるようにして、右の方へ引っ張ったら、図６（ｃ）の断面図と図１０の平面図に示すようにボタン８がボタン穴１３を潜りぬけた状態となり、本発明のボタン掛け外し具1をはずしたら、ボタン外しの作業が完了する。従来はジーンズなどの固い布地と布地の隙間に無理やり指先を差し込んだり、きつく掛けられたボタンを指先で摘まもうとして、指と爪の間の身や爪を痛めることもあったが、この器具を用いると狭くて固い布の隙間に掛止部５，５を簡単に差し込むことができたり、掛止部５，５でボタンを引っ掛けるため、指先の身や爪を痛めることがなくなる。
【００２８】
このように文章で書くと時間がかかりそうでめんどうな作業のようにも見えるが、それほどでもなく、何度か練習すれば上手に短時間でできるようになるものである。指先で直接ボタンを持って素早く、時には力も入れて行う通常のボタン掛け外しの作業と比べると、本発明のボタン掛け外し具1a,１ｂを用いれば、てこの原理などにより、ネイルアート者や弱い指の力の人でも掛け外しが楽にできるようになるものである。
【図面の簡単な説明】
【００２９】
【図１】（a）,（ｂ）本発明の実施例を示す斜視図である。
【図２】本発明を説明する平面図である。
【図３】（a）,（ｂ）,（ｃ）,（ｄ）本発明を説明する断面図である。
【図４】本発明の説明図である。
【図５】本発明の説明図である。
【図６】（a）,（ｂ）,（ｃ）本発明の説明図である。
【図７】本発明の説明図である。
【図８】本発明の説明図である。
【図９】本発明の説明図である。
【図１０】従来技術の説明図である。
【要約】
【課題】近年盛んなネイルアートで長い爪や装飾用付け爪の人が固い布地の洋服やジーパンなどのボタンの掛け外しの際に爪を傷つける人がたくさんいる。又、リウマチや脳卒中などの病気や外傷などにより指先に力が入らないとか、痛いとか、細かい動きができないとかで、シャツや洋服のボタンを掛けたり、外したりするのが困難な人がたくさんいる。
それで、爪を傷つけないようにボタンの掛け外しができる補助具が欲しい。又、不自由な指先でもボタンの掛け外しができる福祉用具が求められている。
【解決手段】把持部２を備えた軸部３の先端から前方に向いて二股状の腕部４，４を設け、この腕部４，４の先端に上方に向いて掛止部５，５を設けた器具でボタンの掛け外しができるようにする。
【選択図】図２【図１】
0004733229.tif 000002
【図２】
0004733229.tif 000003
【図３】
0004733229.tif 000004
【図４】
0004733229.tif 000005
【図５】
0004733229.tif 000006
【図６】
0004733229.tif 000007
【図７】
0004733229.tif 000008
【図８】
0004733229.tif 000009
【図９】
0004733229.tif 000010
【図１０】
0004733229.tif 000011